(57)【要約】      （修正有）【課題】定期的な清掃が不要な照明装置であって、しかも照明装置の安全性を高め、照明装置の耐用年数を延ばし、照明装置の製造と材料に掛かるコストを削減することなどが可能なセルフクリーニング機能の照明装置を提供する。【解決手段】ライト本体は固定台座１１０に枢動可能に接続されて、下蓋１２２と上蓋１２４を備えたケーシング１２０ａとケーシングの下蓋に取り付けられた発光ダイオードモジュール１２０ｂを含み、透明蓋１３０は下蓋と上蓋の間に取り付けられて発光ダイオードモジュールをカバーし、セルフクリーニング層１４０は透明蓋の外表面を覆って環境によってもたらされる紫外線をカットする。【選択図】図２
0003164103.tif 000002
【実用新案登録請求の範囲】
【請求項１】
固定台座と、前記固定台座に枢動可能に接続されたライト本体と、前記ライト本体に組み立てられた透明蓋とからなる照明装置であって、前記ライト本体は、
下蓋と上蓋を備えたケーシングと、
前記ケーシングの前記下蓋に取り付けられた発光ダイオードモジュールと、を含み、
前記透明蓋は前記下蓋と上蓋の間に取り付けられて、前記発光ダイオードモジュールをカバーし、
前記照明装置はさらにセルフクリーニング層を含み、前記透明蓋の外表面を覆って環境によってもたらされる紫外線をカットすることを特徴とする照明装置。
【請求項２】
前記ケーシングの前記下蓋と前記上蓋の間に取り付けられた防水ゴムをさらに含み、前記防水ゴムは前記透明蓋の外辺縁を覆うことを特徴とする請求項１に記載の照明装置。
【請求項３】
前記透明蓋の材質はポリカーボネート(polycarbonate)、アクリル樹脂(acrylic resin)、又はガラスからなることを特徴とする請求項１に記載の照明装置。
【請求項４】
前記ケーシングの前記上蓋は前記上蓋の外表面に取り付けられた複数個のガイド溝を備えることを特徴とする請求項１に記載の照明装置。
【請求項５】
各前記ガイド溝は前記上蓋の内辺縁から下向きに前記上蓋の外辺縁まで延伸する傾斜面を有することを特徴とする請求項４に記載の照明装置。
【請求項６】
前記セルフクリーニング層は二酸化チタン薄膜であることを特徴とする請求項１に記載の照明装置。
【請求項７】
前記発光ダイオードモジュールは、基板と、前記基板上に取り付けられて前記基板と電気的に接続された複数個の発光ダイオードを含むことを特徴とする請求項１に記載の照明装置。
【請求項８】
複数個の固定部材をさらに含み、前記ケーシングの前記上蓋が複数個の挿通孔を有し、前記ケーシングの前記下蓋が複数個の位置決め孔を有し、各挿通孔はそれぞれ１つの位置決め孔に対応し、前記複数個の固定部材は順番に前記上蓋の挿通孔と前記下蓋の位置決め孔を挿通して、前記下蓋と前記上蓋を互いに固定し、前記固定部材はネジ又はボルトを含むことを特徴とする請求項１に記載の照明装置。
【請求項９】
前記透明蓋の直径は前記ケーシングの前記下蓋又は前記上蓋の直径より小さいことを特徴とする請求項１に記載の照明装置。
【考案の詳細な説明】
【技術分野】
【０００１】
本考案は照明装置に関し、より詳しくはセルフクリーニング機能を備えた照明装置に関する。
【背景技術】
【０００２】
戸外で照明建築物や物体の照明装置を使用する場合、溜まった埃は通常定期的に清掃する必要が有る。従来の照明装置は固定台座と、固定台座に枢動可能に接続(pivotally connected)されたライト本体と、ライト本体に組み立てられたカバーガラスと、ライト本体とカバーガラスの間に取り付けられた防水ゴムとを備える。蛍光灯はフレームによってライト本体に取り付けられて、カバーガラスによってカバーされる。
【考案の概要】
【考案が解決しようとする課題】
【０００３】
しかしながら、前述した従来の技術では、従来の発光装置を戸外に取り付けて使用する場合、蛍光灯ランプや環境によって発する赤外線や紫外線が、防水ゴムを損傷して、発光装置の耐用年数が大幅に低下する。また、従来の発光装置のカバーガラスは重量が重過ぎて、破損し易く、危険性を伴い、高価である等の欠点がある上に、定期的に清掃する必要が有り、多額のコストが掛かるといった問題があった。
【０００４】
本考案は、このような従来の問題に鑑みてなされたものである。上記課題解決のため、本考案は、定期的な清掃が不要な照明装置であって、しかも照明装置の安全性を高め、照明装置の耐用年数を延ばし、照明装置の製造と材料に掛かるコストを削減することなどが可能なセルフクリーニング機能の照明装置を提供することを主目的とする。
【課題を解決するための手段】
【０００５】
本考案によれば、固定台座と、固定台座に枢動可能に接続されたライト本体と、ライト本体に組み立てられた透明蓋とからなる照明装置であって、ライト本体は、下蓋と上蓋を備えたケーシングと、ケーシングの下蓋に取り付けられた発光ダイオードモジュールとを含み、透明蓋は下蓋と上蓋の間に取り付けられて、発光ダイオードモジュールをカバーし、照明装置はさらにセルフクリーニング層を含み、透明蓋の外表面を覆って環境によってもたらされる紫外線をカットすることを特徴とする照明装置が提供される。
【０００６】
本考案によれば、ケーシングの下蓋と上蓋の間に取り付けられた防水ゴムをさらに含み、防水ゴムは透明蓋の外辺縁を覆うことを特徴とする照明装置が提供される。
【０００７】
本考案によれば、透明蓋の材質はポリカーボネート(polycarbonate)、アクリル樹脂(acrylic resin)、又はガラスからなることを特徴とする照明装置が提供される。
【０００８】
本考案によれば、ケーシングの上蓋は上蓋の外表面に取り付けられた複数個のガイド溝を備える照明装置が提供される。
【０００９】
本考案によれば、各ガイド溝は上蓋の内辺縁から下向きに上蓋の外辺縁まで延伸する傾斜面を有することを特徴とする照明装置が提供される。
【００１０】
本考案によれば、セルフクリーニング層は二酸化チタン薄膜であることを特徴とする照明装置が提供される。
【００１１】
本考案によれば、発光ダイオードモジュールは、基板と、基板上に取り付けられて基板と電気的に接続された複数個の発光ダイオードを含むことを特徴とする照明装置が提供される。
【００１２】
本考案によれば、複数個の固定部材をさらに含み、ケーシングの上蓋が複数個の挿通孔を有し、ケーシングの下蓋が複数個の位置決め孔を有し、各挿通孔はそれぞれ１つの位置決め孔に対応し、複数個の固定部材は順番に上蓋の挿通孔と下蓋の位置決め孔を挿通して、下蓋と上蓋を互いに固定し、固定部材はネジ又はボルトを含むことを特徴とする照明装置が提供される。
【００１３】
本考案によれば、透明蓋の直径はケーシングの下蓋又は上蓋の直径より小さいことを特徴とする照明装置が提供される。
【考案の効果】
【００１４】
本考案の照明装置によれば、発光ダイオードモジュールが従来の蛍光灯に取って代わり、発光ダイオードは赤外線や紫外線を生じないことから、照明装置内に取り付けられた防水ゴムは赤外線や紫外線に照射されて損傷することがない。
また、透明蓋の外表面を覆うセルフクリーニング層は、セルフクリーニング機能を備えているだけでなく、透明蓋を定期的に洗浄するのに必要なコストが不要となり、さらに殺菌作用を備えると共に環境によってもたらされる紫外線をカットして、防水ゴムがその紫外線に照射されて損傷するのを防止できる。
また、透明蓋の材質はポリカーボネートやアクリル樹脂を含み、従来の透明蓋材質がガラスであることと比較すると、材料や製造のコストが低く、破損し難く、安全性が高いという長所が得られる。
【図面の簡単な説明】
【００１５】
【図１】本考案に係る照明装置の一実施形態の斜視図である。
【図２】図1の照明装置の一部分解図である。
【図３】図1の照明装置部材の一部が透明蓋、セルフクリーニング層、防水ゴムからなる断面図である。
【考案を実施するための形態】
【００１６】
以下、本考案を実施するための形態について詳細に説明する。なお、本考案は、以下に説明する実施形態に限定されるものではない。
本考案の実施形態に係る照明装置につき、図１は本考案に係る照明装置の一実施形態の斜視図であり、図２は図1の照明装置の一部分解図であり、図３は図1の照明装置部材の一部が透明蓋、セルフクリーニング層、防水ゴムからなる側面図である。
【００１７】
図１と図２では本実施形態による固定台座１１０、ライト本体１２０、透明蓋１３０、セルフクリーニング層１４０を備えた照明装置１００を示している。本考案の照明装置１００は街道照明に使用したり投影光源としたりすることが可能であるが、その応用はこれらに限られない。
【００１８】
より詳しくは、本実施形態において、ライト本体１２０は固定台座１１０に枢動可能に接続され、ライト本体１２０はケーシング１２０ａと発光ダイオードモジュール(light-emitting diode module)１２０ｂを備える。
ケーシング１２０ａは下蓋１２２と上蓋１２４を備える。
発光ダイオードモジュール１２０ｂは下蓋１２２に取り付ける。
本実施形態では、発光ダイオードモジュール１２０ｂはチップ・オン・ボード(chip on board、COB)構造でよいが、リードフレーム(lead-frame)実装構造のようなその他の実装構造でもよい。
本実施形態はチップ・オン・ボード構造を例に取り、発光ダイオードモジュール１２０ｂは基板１２６と複数個の発光ダイオード１２８を備え、発光ダイオード１２８はマトリクス又はその他の方法で基板１２６に配置され、基板１２６に電気的に接続される。
図１、図２に示す様に、基板１２６は回路基板(circuit board)であるが、これに限られない。また、本考案の実施形態によると、発光ダイオード１２８と基板１２６の組み立て方法は、表面実装型デバイス(surface mounted device)又はピンスルーホール(pin through hole)によってもよいが、これらに限られない。
【００１９】
図１、図２、図３は透明蓋１３０がライト本体１２０に組み立てられたことを示している。
より詳しくは、透明蓋１３０が発光ダイオードモジュール１２０ｂをカバーして下蓋１２２と上蓋１２４の間に取り付けられる。
ここでは、透明蓋１３０の材質はポリカーボネート(polycarbonate)、アクリル樹脂(acrylic resin)又はその他適切な材料である。別の実施形態では、透明蓋１３０は表面の粗い光透過性レンズ(mat light-transmissive lens)のようなレンズで、発光ダイオード１２８が発射する光を透明蓋１３０から射出する。或いは、透明蓋１３０は光透過性のガラスレンズであって、発光ダイオード１２８が発射する光を透明蓋１３０から射出する。
【００２０】
図３はセルフクリーニング層１４０が透明蓋１３０の外表面を覆って環境によってもたらされる紫外線(UV light)をカットすることを示している。
本実施形態では、セルフクリーニング層１４０は二酸化チタン(TiO2)薄膜でよく、セルフクリーニングが可能なだけでなく、殺菌作用をも備えている。
本実施形態では、透明蓋１３０の直径は、ケーシング１２０ａの下蓋１２２又は上蓋１２４の直径より小さくてよい。セルフクリーニング層１４０を形成する方法は、回転塗布(spin coating)又はディップ塗布(dip coating)又はその他の適切な方法がある。
【００２１】
本実施形態では、セルフクリーニング機能を備えたセルフクリーニング層１４０が透明蓋１３０の外表面を覆うことから、照明装置１００の透明蓋１３０は定期的に清掃する必要が無い。
また、透明蓋１３０の材質はポリカーボネート(polycarbonate)、アクリル樹脂(acrylic resin)でよいので、従来の透明蓋の材質がガラスであることと比較すると、材料や製造に掛かるコストが低く、破損し難く、安全性が高いという長所がある。
【００２２】
また、図１と図３は照明装置１００がさらに防水ゴム１５０を含むことを示している。
ここでは、防水ゴム１５０は透明蓋１３０の外辺縁を覆い、ケーシング１２０ａの下蓋１２２と上蓋１２４の間に配置される。
防水ゴム１５０が透明蓋１３０の外辺縁を覆い、防水效果を有することから、下蓋１２２内に配置された発光ダイオード１２８や基板１２６といった電子部材は、湿気に侵蝕されず、電気性能や信頼性が確保される。
【００２３】
さらに、図１と図２は本実施形態の照明装置１００を示しており、ケーシング１２０ａの上蓋１２４は上蓋１２４の外表面に取り付けられた複数個のガイド溝１２５を備える。ここでは、上蓋１２４の外表面は上蓋１２４の内表面の対向面であり、内表面は上蓋１２４が発光ダイオード１２８に面した表面をいう。
【００２４】
とりわけ本実施形態では、各ガイド溝１２５は上蓋１２４の内辺縁より下向きに上蓋１２４の外辺縁まで延伸した傾斜面１２５ａを有し、即ち、透明蓋１３０に近いこちらの一端の傾斜面１２５ａの高さは、透明蓋１３０から離れたあちらの一端の高さよりさらに高い。従って、照明装置１００が戸外で使用されると、ガイド溝１２５の傾斜面１２５の設計は、雨水をスムーズに排出でき、透明蓋１３０上に溜まることがない。
【００２５】
図１と図２は本実施形態の照明装置１００がさらに複数個の固定部材１６０を含み、ケーシング１２０ａの上蓋１２４には複数個の挿通孔１２４ａを有し、ケーシング１２０ａの下蓋１２２には複数個の位置決め孔１２２ａを有することを示している。
各挿通孔１２４ａは一つの位置決め孔１２２ａにそれぞれ対応し、固定部材１６０は順番に上蓋１２４の挿通孔１２４ａと下蓋１２２の位置決め孔１２２ａを挿通して、下蓋１２２と上蓋１２４を互いに固定することができる。本実施形態では、固定部材１６０はネジ、ボルト等を含むが、これらに限られない。
【００２６】
本実施形態では固定部材１６０はネジやボルトを含み、上蓋１２４は挿通孔１２４ａを含み、下蓋１２２は位置決め孔１２２ａを含むが、本考案は固定部材１６０、下蓋１２２、上蓋１２４の形状や実施方法は制限されない。本考案は同様の固定效果を備えたその他の固定構造を採用することができ、こうした固定構造は何れも本考案の範囲内である。
【００２７】
本考案が提供する照明装置によると、発光ダイオードモジュールが従来の蛍光灯に取って代わり、発光ダイオードは赤外線や紫外線を生じないことから、照明装置内に取り付けられた防水ゴムは赤外線や紫外線に照射されて損傷することがない。
また、透明蓋の外表面を覆うセルフクリーニング層は、セルフクリーニング機能を備えているだけでなく、透明蓋を定期的に洗浄するのに必要なコストが不要となり、さらに殺菌作用を備え、或いは環境によってもたらされる紫外線をカットして、防水ゴムがその紫外線に照射されて損傷するのを防止できる。
また、透明蓋の材質はポリカーボネートやアクリル樹脂を含み、従来の透明蓋材質がガラスであることと比較すると、材料や製造のコストが低く、破損し難く、安全性が高いという長所がある。
【００２８】
上述した実施形態は本考案の技術思想及び特徴を説明するためのものにすぎず、当該技術分野を熟知する者に本考案の内容を理解させると共にこれをもって実施させることを目的とし、本考案の特許範囲を限定するものではない。従って、本考案の精神を逸脱せずに行う各種の同様の効果をもつ改良又は変更は、後述の請求項に含まれるものとする。
【符号の説明】
【００２９】
１００・・・・・・照明装置
１１０・・・・・・固定台座
１２０・・・・・・ライト本体
１２０ａ・・・・・ケーシング
１２０ｂ・・・・・発光ダイオードモジュール
１２２・・・・・・下蓋
１２２ａ・・・・・位置決め孔
１２４・・・・・・上蓋
１２４ａ・・・・・挿通孔
１２５・・・・・・ガイド溝
１２５ａ・・・・・傾斜面
１２６・・・・・・基板
１２８・・・・・・発光ダイオード
１３０・・・・・・透明蓋
１４０・・・・・・セルフクリーニング層
１５０・・・・・・防水ゴム１６０固定部材
【図１】
0003164103.tif 000003
【図２】
0003164103.tif 000004
【図３】
0003164103.tif 000005